(57)【特許請求の範囲】
【請求項１】
ローカル・エリア・アクセス・ノードにより、ユーザー・デバイスからのアップリンク・データのブロードキャスト伝送を検出するステップであって、該ユーザー・デバイスおよび該ローカル・エリア・アクセス・ノードは、互いの相互無線通信接続を確立していない、ステップと、
前記ブロードキャスト伝送からのターゲット・ネットワーク要素の標示を検出するステップと、
専用伝送として、前記ターゲット・ネットワーク要素への前記ブロードキャスト伝送の少なくとも一部の転送を制御するステップであって、それにより、前記ユーザー・デバイスに対してブロードキャスト・ベース・ネットワーク・アクセスを提供する、ステップと、
を含む方法。
【請求項２】
前記ユーザー・デバイスは広域基地局に接続され、前記ターゲット・ネットワーク要素の前記標示は前記広域基地局の識別子である、請求項１に記載の方法。
【請求項３】
前記ターゲット・ネットワーク要素からダウンリンク・データを受信させるステップと、
前記ユーザー・デバイスが前記ダウンリンク・データの前記少なくとも一部のブロードキャスト伝送を受信できるように、前記ダウンリンク・データの少なくとも一部の該ブロードキャスト伝送をさせるステップと、
をさらに含む、請求項１または２のいずれか１項に記載の方法。
【請求項４】
広告メッセージのブロードキャストをさせるステップであって、該広告メッセージは、前記ローカル・エリア・アクセス・ノードが前記ブロードキャスト・ベース・ネットワーク・アクセスをサポートすることの標示を含む、ステップ、をさらに含む、請求項１ないし３のいずれか１項に記載の方法。
【請求項５】
前記ブロードキャスト・ベース・ネットワーク・アクセスは、ネットワーク・サービスのサブセットに対してのみ適用される、請求項１ないし４のいずれか１項に記載の方法。
【請求項６】
前記ブロードキャスト・ベース・ネットワーク・アクセスにしたがって動作するように、前記ローカル・エリア・アクセス・ノードを構成するステップであって、互いの相互無線通信接続を確立することなく、前記ユーザー・デバイスと前記ローカル・エリア・アクセス・ノードとの間のブロードキャスト伝送を介して前記ユーザー・デバイスは、ネットワークにアクセスする、ステップをさらに含む、請求項１ないし５のいずれか１項に記載の方法。
【請求項７】
前記ローカル・エリア・アクセス・ノードを、少なくとも１つのユーザー・デバイスに見える、または、少なくとも１つのユーザー・デバイスから隠されるように構成するステップ、をさらに含み、
前記構成は自己構成であり、予め設定されたルールに基づく、または、
前記構成はネットワーク起動であり、ネットワークからの構成メッセージに基づく、
請求項１ないし６のいずれか１項に記載の方法。
【請求項８】
前記構成は自己構成であり、予め設定されたルールに基づく、または、
前記構成はネットワーク起動であり、ネットワークからの構成メッセージに基づく、
請求項６に記載の方法。
【請求項９】
前記構成は動的再構成である、請求項６ないし８のいずれか１項に記載の方法。
【請求項１０】
リソース割当てメッセージをネットワークから受信するステップであって、該リソース割当てメッセージは、少なくとも１つのユーザー・デバイスと前記ローカル・エリア・アクセス・ノードとの間の前記ブロードキャスト伝送のために使用すべき無線リソース・プールを標示し、同じ前記無線リソース・プールが、同じユーザー・デバイスに関して、複数のローカル・エリア・アクセス・ノードによって使用される、ステップ、
をさらに含む、請求項１ないし９のいずれか１項に記載の方法。
【請求項１１】
リソース割当てメッセージをネットワークから受信するステップであって、該リソース割当てメッセージは、少なくとも１つのユーザー・デバイスと前記ローカル・エリア・アクセス・ノードとの間の前記ブロードキャスト伝送のために使用無線リソース・プールを標示し、前記ユーザー・デバイスから前記ローカル・エリア・アクセス・ノードへのブロードキャスト伝送に対して、および、前記ローカル・エリア・アクセス・ノードから前記ユーザー・デバイスへのブロードキャスト伝送に対して異なるリソース・プールが割当てられる、ステップ、
をさらに含む、請求項１ないし１０のいずれか１項に記載の方法。
【請求項１２】
前記ブロードキャスト伝送はデバイス・ツー・デバイス・ブロードキャスティングに基づく、請求項１ないし１１のいずれか１項に記載の方法。
【請求項１３】
ブロードキャスト・ベース・ネットワーク・アクセスを、ユーザー・デバイスによって活動化するステップであって、該ブロードキャスト・ベース・ネットワーク・アクセスにしたがって、前記ユーザー・デバイスと前記少なくとも１つのローカル・エリア・アクセス・ノードが互いに相互無線通信接続を確立することなく、前記ユーザー・デバイスと少なくとも１つのローカル・エリア・アクセス・ノードとの間のブロードキャスト伝送を介して前記ユーザー・デバイスがネットワークにアクセスする、ステップと、
前記少なくとも１つのローカル・エリア・アクセス・ノードが、前記ブロードキャスト伝送を検出し、前記ネットワークに対して前記ブロードキャスト伝送の少なくとも一部を転送できるようにするために、アップリンク・データのブロードキャスト伝送を制御するステップであって、前記ブロードキャスト伝送が、広域基地局の標示を含み、該広域基地局に、前記ユーザー・デバイスが、該ブロードキャスト伝送のターゲット・ネットワーク要素として接続される、ステップと、
前記少なくとも１つのローカル・エリア・アクセス・ノードからブロードキャストされたダウンリンク・データの受信を制御するステップであって、前記ブロードキャスト伝送を行う少なくとも１つのローカル・エリア・アクセス・ノードは、前記ネットワークからダウンリンク・データを受信している、ステップと、
を含む方法。
【請求項１４】
前記ネットワークからの、前記ブロードキャスト伝送を実行する許可を要求するステップと、
肯定応答を受信した時点で、
前記アップリンク・データの前記ブロードキャスト伝送を実行するステップと、
をさらに含む、請求項１３に記載の方法。
【請求項１５】
ブロードキャスト・ベース・ネットワーク・アクセスを適用するように、ローカル・エリア・アクセス・ノードおよびユーザー・デバイスのうちの少なくとも１つを、ネットワーク・ノードによって構成するステップであって、該ブロードキャスト・ベース・ネットワーク・アクセスにしたがって、ユーザー・デバイスとローカル・エリア・アクセス・ノードが互いに相互無線通信接続を確立することなく、前記ユーザー・デバイスと前記ローカル・エリア・アクセス・ノードとの間のブロードキャスト伝送を介して前記ユーザー・デバイスがネットワークにアクセスする、ステップと、
前記ローカル・エリア・アクセス・ノードからのアップリンク・データの受信をさせるステップであって、前記アップリンク・データは、前記ユーザー・デバイスによりブロードキャストされ、前記ローカル・エリア・アクセス・ノードにより検出される、ステップと、
前記ローカル・エリア・アクセス・ノードが、前記ユーザー・デバイスへのダウンリンク・データのブロードキャスト伝送を実行できるようにするために、前記ローカル・エリア・アクセス・ノードへの前記ダウンリンク・データの伝送をさせるステップと、
を含む方法。
【請求項１６】
前記ユーザー・デバイスを、ブロードキャスト・ベース・ネットワーク・アクセス・モードを適用するように構成すべきか否かを決定するステップであって、前記決定が、ユーザー・プロファイル、トラフィック負荷、ネットワーク・ポリシー、および、ネットワーク・サービス要件のうちの少なくとも１つに基づくものである、ステップ、
をさらに含む、請求項１５に記載の方法。
【請求項１７】
前記ユーザー・デバイスと前記ローカル・エリア・アクセス・ノードとの間のブロードキャスト伝送のために使用される無線リソース・プールを割当てるステップと、
前記ユーザー・デバイスおよび前記ローカル・エリア・アクセス・ノードのうちの少なくとも１つへのリソース割当てメッセージの伝送をさせるステップであって、前記リソース割当てメッセージは、該リソース割当てメッセージの受信者に、前記割当てられた無線リソース・プールを標示する、ステップと、をさらに含む、請求項１５または１６に記載の方法。
【請求項１８】
前記ローカル・エリア・アクセス・ノードを、少なくとも１つのユーザー・デバイスに見えるように、または、少なくとも１つのユーザー・デバイスから隠されるように動的に再構成するステップ、をさらに含む、
ステップ、をさらに含み、
前記構成は自己構成であり、予め設定されたルールに基づく、または、
前記構成はネットワーク起動であり、ネットワークからの構成メッセージに基づく、
請求項１５ないし１７のいずれか１項に記載の方法。
【請求項１９】
少なくとも１つのプロセッサと、コンピュータ・プログラム・コードを含む少なくとも１つのメモリとを備える装置であって、
前記少なくとも１つのメモリおよび前記コンピュータ・プログラム・コードは、前記少なくとも１つのプロセッサを用いて、
ローカル・エリア・アクセス・ノードに、ユーザー・デバイスからのアップリンク・データのブロードキャスト伝送を検出するステップであって、前記ユーザー・デバイスおよび前記ローカル・エリア・アクセス・ノードは互いに相互無線通信接続を確立していない、ステップと、
前記ブロードキャスト伝送からのターゲット・ネットワーク要素の標示を検出するステップと、
専用伝送として、前記ターゲット・ネットワーク要素への前記ブロードキャスト伝送の少なくとも一部の転送を制御するステップであって、それにより、前記ユーザー・デバイスのためにブロードキャスト・ベース・ネットワーク・アクセスを提供する、ステップと、を含む動作を実行させるように構成される、装置。
【請求項２０】
前記ユーザー・デバイスは広域基地局に接続され、前記ターゲット・ネットワーク要素の前記標示は、前記広域基地局の識別子である、請求項１９に記載の装置。
【請求項２１】
前記少なくとも１つのメモリおよび前記コンピュータ・プログラム・コードは、前記少なくとも１つのプロセッサを用いて、
前記ローカル・エリア・アクセス・ノードに、
前記ターゲット・ネットワーク要素からのダウンリンク・データの受信をさせるステップと、
前記ユーザー・デバイスが前記ダウンリンク・データのブロードキャスト伝送を受信できるように前記ダウンリンク・データの少なくとも一部の前記ブロードキャスト伝送をさせるステップと、
を含む動作をさらに実行させるように構成される、請求項１９または２０に記載の装置。
【請求項２２】
前記少なくとも１つのメモリおよび前記コンピュータ・プログラム・コードは、前記少なくとも１つのプロセッサを用いて、
前記ローカル・エリア・アクセス・ノードに、
広告メッセージのブロードキャストをさせるステップであって、
前記広告メッセージは、前記ローカル・エリア・アクセス・ノードが前記ブロードキャスト・ベース・ネットワーク・アクセスをサポートしていることの標示を含む、ステップ、
を含む動作をさらに実行させるように構成される、請求項１９ないし２１のいずれか１項に記載の装置。
【請求項２３】
前記ブロードキャスト・ベース・ネットワーク・アクセスは、ネットワーク・サービスのサブセットについてのみ適用される、請求項１９ないし２２のいずれか１項に記載の装置。
【請求項２４】
前記少なくとも１つのメモリおよび前記コンピュータ・プログラム・コードは、前記少なくとも１つのプロセッサを用いて、
前記ローカル・エリア・アクセス・ノードに、
前記ローカル・エリア・アクセス・ノードを、前記ブロードキャスト・ベース・ネットワーク・アクセスにしたがって動作するように構成するステップであって、前記ユーザー・デバイスと前記ローカル・エリア・アクセス・ノードとが互いに相互無線通信接続を確立することなく前記ユーザー・デバイスと前記ローカル・エリア・アクセス・ノードとの間のブロードキャスト伝送を介して前記ユーザー・デバイスが、ネットワークにアクセスする、ステップ、
を含む動作をさらに実行させるように構成される、請求項１９ないし２３のいずれか１項に記載の装置。
【請求項２５】
前記少なくとも１つのメモリおよび前記コンピュータ・プログラム・コードは、前記少なくとも１つのプロセッサを用いて、
前記ローカル・エリア・アクセス・ノードに、
前記ローカル・エリア・アクセス・ノードを、少なくとも１つのユーザー・デバイスに見えるように、または、少なくとも１つのユーザー・デバイスから隠されるように構成するステップ、
を含む動作をさらに実行させるように構成される、装置であって、
前記構成は自己構成であり、予め設定されたルールに基づく、または、
前記構成はネットワーク起動であり、前記ネットワークからの構成メッセージに基づく、
請求項２４に記載の装置。
【請求項２６】
前記構成は動的再構成である、請求項２４または２５に記載の装置。
【請求項２７】
前記少なくとも１つのメモリおよび前記コンピュータ・プログラム・コードは、前記少なくとも１つのプロセッサを用いて、
前記ローカル・エリア・アクセス・ノードに、
リソース割当てメッセージをネットワークから受信するステップであって、該リソース割当てメッセージは、少なくとも１つのユーザー・デバイスと前記ローカル・エリア・アクセス・ノードとの間の前記ブロードキャスト伝送のために使用すべき無線リソース・プールを標示し、同じ前記無線リソース・プールが、同じユーザー・デバイスに関して、複数のローカル・エリア・アクセス・ノードによって使用される、ステップを含む動作をさらに実行させるように構成される、請求項１９ないし２６のいずれか１項に記載の装置。
【請求項２８】
前記少なくとも１つのメモリおよび前記コンピュータ・プログラム・コードは、前記少なくとも１つのプロセッサを用いて、
前記ローカル・エリア・アクセス・ノードに、リソース割当てメッセージをネットワークから受信するステップであって、該リソース割当てメッセージは、少なくとも１つのユーザー・デバイスと前記ローカル・エリア・アクセス・ノードとの間の前記ブロードキャスト伝送のために使用すべき無線リソース・プールを標示し、前記ユーザー・デバイスから前記ローカル・エリア・アクセス・ノードへのブロードキャスト伝送のために、および、前記ローカル・エリア・アクセス・ノードから前記ユーザー・デバイスへのブロードキャスト伝送のために異なるリソース・プールが割当てられる、ステップ、
を含む動作をさらに実行させる
ように構成される、請求項１９ないし２７のいずれか１項に記載の装置。
【請求項２９】
前記ブロードキャスト伝送は、デバイス・ツー・デバイス・ブロードキャスティングに基づく、請求項１９ないし２８のいずれか１項に記載の装置。
【請求項３０】
少なくとも１つのプロセッサと、コンピュータ・プログラム・コードを含む少なくとも１つのメモリとを備えた装置であって、
前記少なくとも１つのメモリおよび前記コンピュータ・プログラム・コードは、前記少なくとも１つのプロセッサを用いて、ユーザー・デバイスに、
ブロードキャスト・ベース・ネットワーク・アクセスを活動化するステップであって、該ブロードキャスト・ベース・ネットワーク・アクセスにしたがい、前記ユーザー・デバイスと前記少なくとも１つのローカル・エリア・アクセス・ノードが互いに相互無線通信接続を確立することなく、前記ユーザー・デバイスと少なくとも１つのローカル・エリア・アクセス・ノードとの間のブロードキャスト伝送を介して前記ユーザー・デバイスがネットワークにアクセスする、ステップと、
前記少なくとも１つのローカル・エリア・アクセス・ノードが前記ブロードキャスト伝送を検出し、前記ネットワークへ前記ブロードキャスト伝送の少なくとも一部を転送できるようにするために、アップリンク・データのブロードキャスト伝送を制御するステップであって、前記ブロードキャスト伝送が、広域基地局の標示を含み、該ブロードキャスト伝送のターゲット・ネットワーク要素として、前記ユーザー・デバイスが、該広域基地局に接続される、ステップと、
前記少なくとも１つのローカル・エリア・アクセス・ノードからブロードキャストされたダウンリンク・データの受信を制御するステップであって、前記ブロードキャスト伝送を行う少なくとも１つのローカル・エリア・アクセス・ノードが前記ネットワークからダウンリンク・データを既に受信している、ステップと、
を含む動作を実行させるように構成される、装置。
【請求項３１】
前記少なくとも１つのメモリおよび前記コンピュータ・プログラム・コードは、前記少なくとも１つのプロセッサを用いて、
前記ユーザー・デバイスに、
前記ネットワークからの、前記ブロードキャスト伝送を実行する許可を要求するステップと、
肯定応答を受信した時点で、前記アップリンク・データの前記ブロードキャスト伝送を実行するステップと
を含む動作をさらに実行させるように構成される、請求項３０に記載の装置。
【請求項３２】
少なくとも１つのプロセッサと、コンピュータ・プログラム・コードを含む少なくとも１つのメモリと、を備えた装置であって、
前記少なくとも１つのメモリおよび前記コンピュータ・プログラム・コードは、前記少なくとも１つのプロセッサを用いて、
ネットワーク・ノードに、
ローカル・エリア・アクセス・ノードおよびユーザー・デバイスのうちの少なくとも１つを、ブロードキャスト・ベース・ネットワーク・アクセスを適用するように、構成するステップであって、該ブロードキャスト・ベース・ネットワーク・アクセスにしたがって、前記ユーザー・デバイスと前記ローカル・エリア・アクセス・ノードが互いに相互無線通信接続を確立することなく、前記ユーザー・デバイスと前記ローカル・エリア・アクセス・ノードとの間のブロードキャスト伝送を介して前記ユーザー・デバイスが前記ネットワークにアクセスする、ステップと、
前記ローカル・エリア・アクセス・ノードからのアップリンク・データの受信をさせるステップであって、前記アップリンク・データが前記ユーザー・デバイスによりブロードキャストされ、前記ローカル・エリア・アクセス・ノードにより検出される、ステップと、
前記ローカル・エリア・アクセス・ノードが前記ユーザー・デバイスへのダウンリンク・データのブロードキャスト伝送を実行できるようにするために、前記ローカル・エリア・アクセス・ノードへの前記ダウンリンク・データの伝送をさせるステップと、
を含む動作を実行させるように構成される、装置。
【請求項３３】
前記少なくとも１つのメモリおよび前記コンピュータ・プログラム・コードは、前記少なくとも１つのプロセッサを用いて、
前記ネットワーク・ノードに、
前記ユーザー・デバイスを、ブロードキャスト・ベース・ネットワーク・アクセス・モードを適用するように構成すべきか否かを決定するステップであって、前記決定は、ユーザー・プロファイル、トラフィック負荷、ネットワーク・ポリシー、および、ネットワーク・サービス要件のうちの少なくとも１つに基づく、ステップ、を含む動作をさらに実行させるように構成される、請求項３２に記載の装置。
【請求項３４】
前記少なくとも１つのメモリおよび前記コンピュータ・プログラム・コードは、前記少なくとも１つのプロセッサを用いて、
ネットワーク・ノードに、
無線リソース・プールを、前記ユーザー・デバイスと前記ローカル・エリア・アクセス・ノードとの間のブロードキャスト伝送のために使用されるように割当てるステップと、
前記ユーザー・デバイスおよび前記ローカル・エリア・アクセス・ノードのうちの少なくとも１つへの、リソース割当てメッセージの伝送をさせるステップであって、前記リソース割当てメッセージは、該リソース割当てメッセージの受信者に、前記割当てられた無線リソース・プールを標示する、ステップと、
を含む動作をさらに実行させるように構成される、請求項３２または３３に記載の装置。
【請求項３５】
前記少なくとも１つのメモリおよび前記コンピュータ・プログラム・コードは、前記少なくとも１つのプロセッサを用いて、
前記ネットワーク・ノードに、
前記ローカル・エリア・アクセス・ノードを、少なくとも１つのユーザー・デバイスにとって見えるように、または、少なくとも１つのユーザー・デバイスから隠されるように動的に再構成するステップ
を含む動作をさらに実行させるように構成される、請求項３２ないし３４のいずれか１項に記載の装置。
【請求項３６】
装置にロードされたとき、請求項１ないし１８のいずれか１項に記載の方法を実行するプログラム命令を備えるコンピュータ・プログラム。
【請求項３７】
請求項１ないし１８のいずれか１項に記載の方法を実行するための手段を備える装置。
【発明の詳細な説明】
【技術分野】
【０００１】
本発明は、概して、ネットワーク・アクセスの改善に関する。より具体的には、本発明は、ブロードキャスト・ベースのネットワーク・アクセスに関する。
【背景技術】
【０００２】
マクロ基地局が、ネットワーク・アクセスのために莫大な量の端末をサポートする必要がある状況が存在することがある。このような状況下では、制限された量の無線リソースとネットワーク・アクセス緊急性が問題を発生させる。
【発明の概要】
【０００３】
本発明の態様は、独立クレームにより定義されている。
【０００４】
いくつかのさらなる実施形態が、従属クレーム内に定義づけされている。
【０００５】
以下では、実施形態および添付図面を参考にして、本発明についてより詳細に説明する。
【図面の簡単な説明】
【０００６】
【図１】一実施形態に係るネットワークを提示する。
【図２】いくつかの実施形態に係る方法を示す。
【図３】いくつかの実施形態に係る方法を示す。
【図４】いくつかの実施形態に係るシグナリング流れ図を示す。
【図５】いくつかの実施形態に係るシグナリング流れ図を示す。
【図６】いくつかの実施形態に係るローカル・エリア・アクセス・ポイントの動的再構成を例示する。
【図７】一実施形態に係る方法を例示する。
【図８Ａ】いくつかの実施形態に係る無線リソースの使用を示す。
【図８Ｂ】いくつかの実施形態に係る無線リソースの使用を示す。
【図９】いくつかの実施形態に係る無線リソースの使用を示す。
【図１０】いくつかの実施形態に係る装置を例示する。
【図１１】いくつかの実施形態に係る装置を例示する。
【図１２】いくつかの実施形態に係る装置を例示する。
【発明を実施するための形態】
【０００７】
以下の実施形態は例示的なものである。明細書は本文中の複数の場所で「ａｎ」、「ｏｎｅ」または「ｓｏｍｅ（いくつかの）」実施形態に言及していることがあるが、これは必ずしも、各言及が同じ実施形態に対してなされていること、あるいは特定の特徴が単一の実施形態のみにあてはまることを意味していない。異なる実施形態の単一の特徴が組合わされて他の実施形態を提供することもできる。
【０００８】
記載されている実施形態は、無線システム内、例えばマイクロウエーブ・アクセス（ＷｉＭＡＸ）、グローバル・システム・フォー・モバイル・コミュニケーションズ（ＧＳＭ（登録商標）、２Ｇ）、ＧＳＭ  ＥＤＧＥ無線アクセス・ネットワーク（ＧＥＲＡＮ）、ジェネラル・パケット無線サービス（ＧＲＰＳ）、基本広帯域符号分割多元接続（Ｗ−ＣＯＭＡ）に基づくユニバーサル・モバイル・テレコミュニケーション・システム（ＵＭＴＳ、３Ｇ）、高速パケット・アクセス（ＨＳＰＡ）、ロング・ターム・エボリューション（ＬＴＥ）、ＬＴＥ−アドバンスト（ＬＴＥ−Ａ）、５Ｇシステムおよび／または５Ｇを超えるシステム、のうちの少なくとも１つにおいて実装可能である。
【０００９】
図１に示されているように、スモール・セル・アクセス・ポイント（ＡＰ）などのローカル・エリア（ＬＡ）基地局（ＢＳ）１０２Ａ〜１０２Ｂがマクロ・セル基地局１００のカバレッジ・エリア１０１内に配置されるネットワークシナリオが存在できる。ある基地局は、例えば、伝送出力に基づいて、ＡＰとして分類可能である。ＡＰ１０２Ａ〜１０２Ｂは、私設基地局、ホーム・ノードＢ（ｈＮＢ）、プライベート・アクセス・ポイント、閉鎖されたアクセス基地局、端末デバイス、携帯電話などであることができる。一般に、ＡＰ１０２Ａ〜１０２Ｂは、カバレッジを提供し独自のセル内部での無線通信を制御する能力をもつ任意の装置であることができる。しかしながら、ＡＰ１０２Ａ〜１０２Ｂは、個人のユーザーがそれを設置できるという点においてｅＮＢ１００とは異なっていることがある。典型的には、ＡＰ１０２Ａ〜１０２Ｂは、ｅＮＢ１００に比べて小さいセル・エリアに無線カバレッジを提供する。ＡＰ１０２Ａ〜１０２Ｂは、例えば、ネットワーク・プロバイダの加入者などの移動体通信ネットワークのエンド・ユーザーがセットアップでき、あるいは、ネットワークのオペレータがＡＰ１０２Ａ〜１０２Ｂを展開することもできる。ＡＰ１０２Ａ〜１０２Ｂは、アクティブ状態、スリープ・モード、遷移状態にあり得、オフに切換えることもできる。一実施形態において、ＡＰ１０２Ａ〜１０２Ｂの制御は、遠隔にて行うことができる。ＡＰ１０２Ａ〜１０２Ｂにアクセスできるものは誰でも、例えばＡＰ１０２Ａ〜１０２Ｂをセットアップした個人のユーザーが、ＡＰ１０２Ａ〜１０２Ｂをオフ切換えできる。
【００１０】
ｅＮＢ１００およびＡＰ１０２Ａ〜１０２Ｂを、ネットワーク・プロバイダのＥＰＣ１１０（ＭＭＥ、Ｓ−ＧＷ）に接続することができ、このＥＰＣ１１０がこれらを制御できる。ＡＰ１０２Ａ〜１０２ＢとＥＰＣ１１０の間の接続は、Ｓ１インタフェースを介して達成可能である。ｅＮＢ１００およびＡＰ１０２Ａ〜１０２Ｂは、有線接続を介してまたは無線接続を介して、互いに接続可能である。
【００１１】
１つのエリアに多くのＡＰ１０２Ａ〜１０２Ｂを提供することによって、そのエリアに超高密度のネットワーク（ＵＤＮ）を生成することができる。ＵＤＮ内に多くのＡＰ１０２Ａ〜１０２Ｂが存在できることから、低い伝送出力を有する所与のアクセス・ノード（例えばＡＰ１０２Ａ）が、多くの場合、一度に単一のまたはわずかな端末にしかサービス提供できない。このような高密度ローカル・エリア展開においては、スモール・セルＡＰ１０２Ａ〜１０２Ｂの密度は、ＵＥ１０４の密度より高いものにさえなることがある。こうして、頻繁な接続の確立および解除を含めた接続制御、ハンドオーバを含めた移動度制御、セル再選択およびトラッキング・エリア更新のために、ＵＥ１０４とネットワークの間でのシグナリング交換に対するニーズが導かれることがある。したがって、将来の通信性能要件およびＵＤＮ展開を考慮すると、上述の問題を少なくとも部分的に解決するソリューションが必要とされる。
【００１２】
したがって、Ｄ２Ｄ  ＢＮＡまたは単純にＢＮＡと呼ばれるデバイス・ツー・デバイス（Ｄ２Ｄ）ブロードキャスト・ベースのネットワーク・アクセス・モードが提案されている。提案されているＤ２Ｄ  ＢＮＡは、ＵＥ１０４への／ＵＥ１０４からの高速かつ単純な伝送を提供することができる。Ｄ２Ｄコンセプトは同様に、マシン・ツー・マシン（Ｍ２Ｍ）通信もカバーできる。Ｄ２Ｄでは、端末デバイスの間で直接接続を確立できる。Ｄ２Ｄブロードキャスティングは、実際の通信が始まる前にＤ２Ｄデバイスが直接的接続をセットアップする必要のない１対Ｍブロードキャスト伝送に基づくことができる。伝送ＵＥは、データ伝送のための無線リソースが標示されるスケジューリング・アサインメント（ＳＡ）を伝送することができる。検出されたＳＡに基づいて、受信ＵＥは、データを受信し、データが受信ＵＥをターゲットとしているか否かをチェックする。この検出は、少なくとも部分的にＳＡ内、および／または、少なくとも部分的にパケット・データ・ユニット内で与えることのできるターゲット識別子（ＩＤ）に基づくことができる。こうして、Ｄ２Ｄは、概して、どのタイプのターゲットＩＤ（例えばブロードキャストＩＤ、グループＩＤまたはＵＥ  ＩＤ）が使用されるかに応じて、ブロードキャスト、マルチキャストまたはユニキャストすることができる。
【００１３】
ｅＮＢ１００は、デバイス間の直接通信リンクの制御を担当することができる。これには、無線リソースの割当て、Ｄ２Ｄ通信の適用開始の許可などが含まれることがある。直接通信リンクは、融通性ある配置を提供するため、従来の通信リンクと同じ周波数帯域、および／または、これらの周波数帯域外で動作することができる。従来の通信リンクというのは、ＵＥ１０４またはｅＮＢ１００を介してデータを伝送することを意味する。
【００１４】
一実施形態においては、無線アクセス・ネットワークが、異なるネットワーク層、例えば、スモール・セルに対しカバレッジを提供するＡＰ１０２Ａ〜１０２Ｂによって生成されマクロ・セルｅＮＢ１００より提供されるマクロ・セル・カバレッジ・アンブレラの下で展開されるローカル・エリア・ネットワーク層で構成されている異機種ネットワーク（ＨｅｔＮｅｔ）環境内で本提案を実装することができる。一実施形態においては、少なくとも一定のエリア内部のＤ２Ｄ通信が同じ同期タイミングに基づくものとなり得るように、この一定のエリア内で、全てのＡＰ１０２Ａ〜１０２Ｂが互いに同期されていると仮定することもできる。
【００１５】
図２は、ＡＰ１０２Ａなどのローカル・エリア・アクセス・ノードが実施できる方法を描いている。ＵＥ１０４の観点から見ると、この提案は、図３に示されたタスクを含むことができる。他の添付図面は、図２および３の方法を詳細に説明することによりさらなる実施形態を提供できる。
【００１６】
図３のステップ３００では、ＵＥ１０４は、ユーザー・デバイス１０４、および、少なくとも１つのローカル・エリア・アクセス・ノード１０２Ａ〜１０２Ｂが最初に互いに相互無線通信接続を確立することなく、ユーザー・デバイス１０４がユーザー・デバイス１０４と少なくとも１つのローカル・エリア・アクセス・ノード１０２Ａ〜１０２Ｂの間のブロードキャスト伝送を介してネットワーク１１０にアクセスできるようにするＢＮＡを活動化することができる。
【００１７】
ステップ３０２では、ＵＥ１０４は、次に、少なくとも１つのＡＰ１０２Ａ〜１０２Ｂに向かうアップリンクデータ（ＵＬ）のブロードキャスト伝送を実行することができる。ＵＥ１０４は、ブロードキャスト伝送の中に、ブロードキャスト伝送のターゲット・ネットワーク要素として、ユーザー・デバイスが接続されている広域基地局の標示を含むことができる。一実施形態において、ＵＥ１０４は、マクロ・セル基地局１００との関係におけるＲＲＣ接続モードにある。こうして、マクロ・セル識別子（ＩＤ）は、スモール・セルＡＰ１０２Ａ〜１０２Ｂに向かうブロードキャスト伝送に対するターゲット標示として、ＵＥ１０４に含まれることがある。一実施形態においては、ターゲット標示は、ｅＮＢ１００のＩＤであることができる。一実施形態において、ターゲット標示は、暗黙のものであることができる。例えば、ターゲット標示を、（ブロードキャスト伝送内のソースＩＤとして）ＵＥ  ＩＤと共に無線ベアラーＩＤから導出することができる。一実施形態では、異なるｅＮＢが、ブロードキャスト伝送のために異なるリソース・プールを割当てることができる。このような場合、現行のブロードキャスト伝送が受信されているリソース・プールからターゲット標示を導出することができる。
【００１８】
その結果、図２のステップ２００において、ＡＰ１０２Ａは、ＵＥ１０４からのブロードキャスト伝送を検出することができる。一実施形態において、ローカル・エリア・アクセス・ポイント／ノード１０２Ａ〜１０２ＢとＵＥ１０４の間の双方向通信は、Ｄ２Ｄブロードキャスティングに基づくことができる。このようなブロードキャスティングは、コネクションレス型伝送である。すなわち、ＵＥ１０４とＡＰ１０２Ａは、ブロードキャスト伝送の前に互いに相互無線通信接続を確立していない。したがって、時間またはリソースを消費する接続セットアップの必要性がない。伝送は、例えばユニキャスティングまたはマルチ・キャスティングなどの専用伝送ではなく、ブロードキャスト伝送のカバレッジ・エリア内の任意の無線要素により検出可能な無線ブロードキャスティングである。ブロードキャスト伝送は、図１のＵＥ１０４の隣に４本の短い線でマーキングされている。
【００１９】
ブロードキャスト伝送は、無指向性であるか、または、（ＵＥ１０４がブロードキャスト伝送を実行している場合）ＡＰ１０２Ａ〜１０２Ｂが位置設定されているセクター、または（ＡＰ１０２Ａ〜１０２Ｂの一方または両方がブロードキャスト伝送を実行している場合は）ＵＥ１０４が位置設定されているセクターなど、一定のセクターに導かれることがある。
【００２０】
ステップ２０２において、ＡＰ１０２Ａは、ブロードキャスト伝送からのターゲット・ネットワーク要素１００の標示を検出することができる。一実施形態において、ターゲット・ネットワーク要素は、ＵＥ１０４がＲＲＣ接続モードにあるｅＮＢ１００である。ステップ２０４において、スモール・セルＡＰ１０２またはスモール・セルＡＰ１０２Ａ〜１０２Ｂは、ターゲット・ネットワーク要素１００に対して、ブロードキャスト伝送のＵＬデータの少なくとも一部分を専用伝送として転送することができ、こうして、ＵＥ１０４のためのブロードキャスト・ベースのネットワーク・アクセスを提供する。すなわち、マクロ・セルＢＳ１００をターゲットとするＵＬパケットを受信した時点で、ＡＰ１０２Ａはこれらのパケットをマクロ・セルＢＳ１００に転送することができる。ＡＰ１０２Ａ〜１０２Ｂは、ｅＮＢ１００により制御され、ｅＮＢ１００に接続され得るという点を指摘することができる。
【００２１】
一実施形態において、ＡＰ１０２Ａは、転送された伝送に対しブロードキャスト伝送のソース識別子を含むことができる。一実施形態において、マクロ・セル１０１内のＵＥ１０４のセル無線ネットワーク一時識別子（Ｃ−ＲＮＴＩ）を、ソースＩＤとして使用することができる。そのとき受信するｅＮＢ１００はどのＵＥ１０４がその伝送を開始したかを知ることができるため、これは有益であることがある。
【００２２】
このようにして、ＵＥ１０４は、ローカルＡＰ１０２Ａ〜１０２Ｂを介してネットワーク１１０にアクセスすることができる。反対方向での通信用として、ＡＰ１０２Ａ〜１０２Ｂは、ターゲット・ネットワーク要素、例えばｅＮＢ１００からのダウンリンク（ＤＬ）データの受信を制御するまたは行わせることができる。ｅＮＢ１００は、ステップ２０４後に受信されたＵＬデータに対する応答として、このデータ、例えばネットワークサービスデータをＡＰ１０２Ａに伝送済みであることがある。その後、ＡＰ１０２Ａは、ＵＥ１０４が図３のステップ３０４においてブロードキャスティング済みＤＬデータを受信することができるように、ＤＬデータの少なくとも一部分のブロードキャスト伝送を制御するまたは行わせることができる。このオプションでは、ｅＮＢ１００は、伝送においてＵＥ１０４のターゲットＩＤを使用した可能性があり、ＡＰ１０２Ａは次に、ブロードキャスト伝送内に、このターゲットＵＥ  ＩＤを含むことができる。このようにして、ＵＥ１０４は、ブロードキャスト伝送がＵＥ１０４自身をターゲットとしていることを知ることができる。ブロードキャスト伝送はさらに、ｅＮＢ１００のソースＩＤを含むことができる。
【００２３】
提案されたＢＮＡモードによると、データ伝送は、ＵＥ１０４とＡＰ１０２Ａ〜１０２Ｂの間のコネクションレス型Ｄ２Ｄブロードキャスト通信に基づいており、ＵＥ１０４は、高密度展開されたスモール・セルＡＰ１０２Ａ〜１０２Ｂとの接続を確立し維持する必要がない。ネットワークは、ＵＥ１０４からスモール・セルＡＰ１０２Ａ〜１０２Ｂへのデータ伝送に基づいて、ＵＥ１０４をトラッキングしフォローすることができる。したがって、提案されたＢＮＡモードは、例えばｅＢＮ１００などのマクロ・セル層による調整の下で、ＵＥ１０４とスモール・セルＡＰ１０２Ａ〜１０２Ｂの間のＤ２Ｄブロードキャスト・ベースの通信を利用することによって、高密度ローカル・エリアＨｅｔＮｅｔ展開における高速、単純かつ効率の良いソリューションを提供することができる。ｅＮＢ１００に対する直接的リンクではなくむしろＬＡ  ＡＰ１０２Ａ〜１０２Ｂを使用することのいくつかの例示的メリットとしては、マクロ・セルのオフローディング、および比較的低い伝送出力でのより高いビット・レートが含まれることがある。
【００２４】
以下では、２つのスモール・セル展開の変形形態が提案されるが、その両方共が提案されたＤ２Ｄ  ＢＮＡモードを実装できる。図４の実施形態において、スモール・セルＡＰ１０２Ａ〜１０２Ｂは、ＵＥ１０４にとって見える状態であることができるが、一方図５の実施形態では、ＡＰ１０２Ａ〜１０２Ｂは、ＵＥ１０４にとって見えない状態または隠された状態に保たれることがある。後者の実施形態は、コネクションレス型ＢＮＡモードについては発見が必要でないことから実現可能であり得る。
【００２５】
図４をさらに詳しく見ると、このシナリオでは、ＵＥ１０４は、ＡＰ１０２Ａ〜１０２Ｂを検出することができる。しかしながら、簡単のために、１つのＡＰ１０２Ａしか存在しないものと仮定する。この実施形態において、スモール・セルＡＰ１０２Ａ〜１０２Ｂは、例えば第３世代パートナーシップ・プロジェクト（３ＧＰＰ）リリース１２で規定されているが、提案されたＤ２Ｄ  ＢＮＡモードをサポートするように強化されたスモール・セルＡＰとしてみなすことができる。
【００２６】
ステップ４００において、ＡＰ１０２Ａは、ＢＮＡモードにしたがって動作するように構成される。これはすなわち、ＡＰ１０２Ａが、検出済みブロードキャスト伝送をＵＥ１０４からｅＮＢ１００に転送し、ｅＮＢ１００から受信したＤＬデータをＵＥ１０４に向かってブロードキャストするように構成されることを意味することができる。この構成は、ＡＰ１０２Ａ〜１０２Ｂの展開に先立つ予備構成である場合がある。
【００２７】
一実施形態において、この構成は、動的構成であることができる。一実施形態において、構成は、ｅＮＢ１００から（すなわちネットワーク１１０から）コマンド／メッセージを受信することによって開始されるネットワークであることができる。別の実施形態において、構成は、プリセットされたルールにしたがって自動構成されることがある。例えば、ネットワーク条件に関する一定のルールがひとたび満たされたならば、ＡＰ１０２ＡはＢＮＢモードで動作し始めることができる。
【００２８】
一実施形態において、構成ステップ４００は、ＬＡ  ＡＰ１０２Ａが、少なくとも１つのＵＥ１０４に対して見える状態にあるかまたは少なくとも１つのＵＥ１０４から隠された状態にあるかを規定することができる。図４の場合、構成は、ＡＰ１０２ＡをＵＥ１０４に対して見える状態にセットしていることがある。
【００２９】
一実施形態において、構成ステップ４００を動的再構成として行うことができる。こうして、同じＡＰ１０２Ａを、従来のネットワーク・アクセス・モードまたはＢＮＡモードで動作するように変更できる。同様にして、同じＡＰ１０２Ａを、見える状態または見えない状態のいずれかになるように構成することもできる。再構成ステップは、図６に関連して、さらに論述される。
【００３０】
ステップ４０２Ａにおいて、ＡＰ１０２Ａは、ＡＰ広告メッセージをブロードキャストすることができ、ここで、ＡＰ広告メッセージは、ＡＰ１０２ＡがＢＮＡをサポートすることの標示を含んでいる。代替的にまたは付加的に、ＡＰ広告メッセージは、ＵＥ１０４がＢＮＡモードを利用するときに遵守する必要のあるネットワーク・ポリシーおよび／またはＢＮＡモードの使用のために留保された対応するリソース・プールに関する情報を搬送することができる。ネットワーク・ポリシーは、例えばＢＮＡモードをいつどのサービスのために使用できるかに関する情報に言及することができる。ネットワークまたはオペレータは、ＢＮＡモードの使用に関する制限を有することがある。例えば、セキュリティ・コントロールを必要とするある種のサービスは、ブロードキャスト・ベースのモードを使用して通信できず、ＵＥ１０４とｅＮＢ１００の間の確立された直接リンクを利用する従来のセルラー・モードを介してしか通信できない。
【００３１】
ＡＰ広告メッセージ以外のオプションでは、または、ＡＰ広告メッセージに加えて、ｅＮＢ１００は、ステップ４０２Ｂにおいて、ＵＥ１０４に対してｅＮＢ広告メッセージを伝送することができる。このｅＮＢ広告メッセージは、ブロードキャスト・ベースのネットワーク・アクセスをサポートするＡＰ１０２Ａ〜１０２Ｂを標示することができる。ｅＮＢ１００は、例えば、ＢＮＡモード能力を有するスモール・セルＡＰ１０２Ａ〜１０２Ｂのリストを提供することができる。ｅＮＢ広告メッセージはさらに、またはその代りに、ネットワーク・ポリシーおよび／またはＢＮＡモードに留保されたリソース・プールに関する情報を搬送できる。ｅＮＢ１００からのこのｅＮＢ広告シグナリングは、共通制御または専用シグナリングのいずれかを利用することができる。これは、ｅＮＢ１００およびＵＥ１０４が既にそれらの間に確立された通信リンクを有していることがあるために、可能である。
【００３２】
さらに１つの実施形態において、２つのオプション（４０２Ａおよび４０２Ｂ）の任意の組合せを使用することができる。例えばＢＮＡモード能力をスモール・セルＡＰ１０２Ａが広告でき、マクロ・セルＢＳ１００は、ネットワーク・ポリシーおよびリソース・プールに関する情報を提供することができる。
【００３３】
一実施形態において、ＵＥ１０４は、少なくとも１つのＡＰ１０２Ａ〜１０２Ｂが近接して存在することを決定できる。この決定は、ＡＰ１０２ＡまたはｅＮＢ１００のいずれかからの広告メッセージをＵＥ１０４が検出することによって、ステップ４０４で行うことができる。近接性は、最大で、スモール・セル・アクセス・ポイント１０２Ａまたは１０２Ｂのカバレッジ・エリアを意味し得る。
【００３４】
ＢＮＡモード・サポート能力を用いて少なくとも１つのスモール・セルＡＰ１０２Ａを検出した時点で、ＵＥ１０４はステップ４１０において、ＢＮＡモードに切替わることができる。すなわち、直接ｅＮＢ１００に対してデータを伝送する代りに、ＵＥ１０４は、ステップ４１２において、ＡＰ１０２Ａ〜１０２Ｂがブロードキャスト伝送を検出し受信できるようにデータのブロードキャストを開始することができる。図４のステップ４１４にさらに示されているように、ＡＰ１０２Ａは次にデータをｅＮＢ１００に転送することができる。矢印４１２および４１４は、ｅＮＢ１００がＡＰ１０２Ａを介して（またはＡＰ１０２Ａ〜１０２Ｂを介して）ＵＥ１０４に応答ＤＬデータを伝送できることから、双方向性であり、ここでｅＮＢ１００とＡＰ１０２Ａの間の伝送は、専用伝送であり、ＡＰ１０２ＡとＵＥ１０４の間の伝送は、ブロードキャスト伝送である。
【００３５】
ステップ４１０でＢＮＡモードに入る前に、ＵＥ１０４は、ステップ４０６Ａにおいて、ＢＮＡモードにしたがってブロードキャスト伝送を実行する許可を、ネットワーク１１０から要求することができる。ステップ４０８でネットワークから肯定応答を受信した時点で、ＵＥ１０４は、ステップ４１０においてＢＮＡモードに切替わることができる。ネットワーク１１０は、ユーザー・プロファイル、トラフィック負荷、ネットワーク・ポリシーおよびネットワーク・サービス要件のうちの少なくとも１つに基づいて、ＵＥ１０４がＢＮＡモードを適用できるようにするか否かを決定できる。ＵＥ１０４に結びついたユーザー・プロファイルは、ＵＥ１０４が、ＢＮＡの実行を許された加入者と結びつけられているか否かを指示できる。ユーザー・プロファイルは同様に、ネットワーク・サービスに関する選好性をも定義でき、これらの選好性は、ＢＮＡモードが一定のネットワーク・サービスと共に使用されるべきか否かを定義することができる。トラフィック負荷は、異なるモード、すなわちＢＮＡモードおよび従来のセルラー・モードを用いたセル負荷の推定値を含むことができる。ＢＮＡモードがより小さいセル負荷をひき起こす場合には、ＢＮＡモードがトリガーされることがある。しかしながら、ＢＮＡモードが従来のセルラー・モードよりも高い負荷をひき起こす場合には、従来のセルラー・モードが、より高度な選択であり得る。ネットワーク・ポリシーは、ＢＮＡモードがネットワーク内で許容可能であるか否かを標示できる。オペレータおよびメンテナンス（ＯＡＭ）がＢＮＡの使用についての制限を設定している場合がある。これらの制限は、時間、日付、場所などに言及することができる。ネットワーク・サービス要件は、サービスのタイプおよび／またはベアラーのクオリティー・オブ・サービス（ＱｏＳ）要件、セキュリティ要件などを含むことができる。例えば、ユーザーが高いＱｏＳを有する一定のネットワーク・サービスを要求する場合には、これらのＱｏＳサービスがＢＮＡモードを用いてまたはＢＮＡモード無しのいずれで満たされる確率の方が高いかを推定することができる。別の例として、ユーザーが、高いセキュリティ要件を有する一定のネットワーク・サービスを要求する場合には、従来のセルラー・モードを選択することができる。
【００３６】
しかしながら、ステップ４０６および４０８は強制的ではない。一実施形態において、ＵＥ１０４は、ステップ４０９において、それ自体、ネットワーク１１０からの許可を要求することなくＢＮＡモードを使用することを決定できる。プリセットされたネットワーク・ポリシーは、ＵＥ１０４がネットワーク１１０に最初に問い合わせることなくＢＮＡモードをＵＥ１０４自身がトリガーすることを許容されているか否かを定義することができる。両方の場合（ステップ４０６〜４０８またはステップ４０９）において、ＵＥ１０４は、ステップ４１０〜４１４にしたがってＢＮＡモードの使用を終了させることができる。
【００３７】
しかしながら、ＢＮＡモードが許容されないか、または従来のセルラー・モードがこのシナリオにおいてより好適であると決定された場合には、ＵＥ１０４は、図中に示されてはいないものの、ＢＮＡモードの代りに従来のセルラー・モードにしたがってネットワーク１１０にアクセスすることができる。
【００３８】
次に、ＡＰ１０２Ａ〜１０２ＢをＵＥ１０４にとって見えない状態または隠された状態に保つことができる展開シナリオに言及している図５の実施形態をさらに詳しく見て行く。すなわち、ＢＮＡモード能力をもつスモール・セルＡＰ１０２Ａ〜１０２Ｂは、ＵＥ１０４から隠されたオーバーレイ・ネットワーク層として展開されている。しかしながら、単純さのために、ここでも同様に、１つのＡＰ１０２Ａのみが存在するものと仮定したい。このシナリオでは、ＢＮＡモードを用いたＵＥ１０４のトリガーは、以下で説明されるように、ネットワーク１１０からのものであることができる。
【００３９】
ステップ４００では、ＡＰ１０２Ａは、ＢＮＡモードで動作するように構成される。このステップは、図４のステップ４００と同じである。ただし、この実施形態については、ＡＰ１０２Ａは、ＵＥ１０４から隠されるように構成されることがある。ステップ５０４では、ＡＰ１０２Ａは、近くに少なくとも１つのＵＥ１０４を検出できる。検出は、ＵＥ１０４が伝送しているＵＬサウンディング信号および／またはＤ２Ｄ発見信号に基づくことができる。
【００４０】
強制的ではないが、一実施形態において、ＵＥ１０４の検出は、ＡＰ１０２Ａが接続されているマクロ・セルＢＳ１００の制御下にあることができる。このような場合、ｅＮＢ１００は、ステップ５０２において、所定の基準を満たす少なくとも１つのＵＥ１０４をどのように検出するかを標示する検出メッセージを送信することができ、ＡＰ１０２Ａはこのメッセージを受信できる。制御用マクロ・セルＢＳ１００は、例えば、ＵＥ１０４のセル負荷、場所および移動度の状態および／または進行中のサービスおよび／またはアクティブ・ベアラーＱｏＳ要件に基づいて、検出メッセージを生成することができる。例えば、一定のＵＥがＢＮＡモードに禁じられているネットワーク・サービスを使用している場合には、検出メッセージは、このＵＥをどのように検出するかについての詳細を含むことができない。同様にして、あるＵＥがＡＰ１０２Ａのカバレッジ・エリアから離れるように移動している場合には、検出メッセージは、このＵＥをどのように検出するかについての詳細を含むことができない。さらに、ネットワーク１１０は、いずれのＵＥ１０４がＢＮＡ能力を有するかを知ることができ、検出メッセージは、これらのＵＥのみに言及することができる。このことは、ＡＰ１０２Ａが、ＢＮＡモードをサポートしないＵＥを検出する必要がないという点で、有益であることがある。したがって、検出メッセージは、ＡＰ１０２Ａが検出すべきアクティブＵＥ１０４、すなわちＢＮＡモードの使用に関する所定の基準を満たすＵＥ１０４のみのサウンディング信号および／またはＤ２Ｄ発見信号に関する情報をスモール・セルＡＰ１０２Ａに提供することができる。
【００４１】
これに対する代替案として、または付加的に、検出メッセージは、ＵＥ１０４により使用されるリソース・プールに関する情報を搬送し、こうしてＡＰ１０２Ａがこれらのリソースを聴取しＵＥ１０４を検出できるようにすることができる。例えば、ＵＥ１０４は、Ｄ２Ｄ発見信号を伝送するためにリソース・プールを使用することができる。ＢＮＡ能力をもつＵＥ１０４をＡＰ１０４Ａが容易に検出できるようにするために、ＵＥ１０４は、Ｄ２Ｄ発見信号内に、ＢＮＡ能力の標示を含むことができる。
【００４２】
少なくとも１つのＵＥ１０４を検出した時点で、ＡＰ１０２Ａはステップ５０６において、ネットワーク１１０に対して所定の基準を満たす少なくとも１つのＵＥ１０４の識別子を検出レポート内に標示することができる。ＡＰ１０２ＡからＵＥ１０４の識別子を受信した後、ステップ５０８においてｅＮＢ１００はＢＮＡモードをトリガーする決定を下すことができる。ＢＮＡモードをトリガーするか否かの決定は、図４に関連して説明したものと同様の考えに基づくことができる。
【００４３】
ネットワークがまさにＢＮＡモードを開始する決定を下した場合、ｅＮＢ１００は、ステップ５１０において、少なくとも１つのＵＥ１０４を用いてＢＮＡアクセスモードを適用することをＡＰ１０２Ａに知らせるため、ＡＰ１０２Ａに対し開始メッセージを伝送する。少なくとも１つのＵＥ１０４を、開始メッセージ内で標示することができる。
【００４４】
ｅＮＢ１００はさらに、ステップ５１２においてＵＥ１０４に対して構成メッセージを伝送することができる。ＵＥ１０４に対する構成メッセージは、少なくともいくつかのネットワーク・サービスについて、従来のネットワーク・アクセスの代りに、ＢＮＡモードにしたがってネットワーク１１０にアクセスするようにＵＥ１０４を構成することができる。このようにして、ＵＥ１０４は、発見プロセスを実行しなくてもあるいは図４に関連するように広告メッセージを受信することがなくても、少なくとも１つのＡＰ１０２Ａ〜１０２Ｂが近接して存在することを決定することができる。
【００４５】
次に、ＵＥ１０４は、ステップ４１０において、ネットワークアクセス・サービスの少なくとも一部分についてＢＮＡモードに切替わることができる。すなわち、ＵＥ１０４は、ステップ４１２において、ＡＰ１０２Ａ〜１０２Ｂがブロードキャスト伝送を検出し受信できるように、データのブロードキャスティングを開始することができる。図５にさらに示されているように、ＡＰ１０２Ａは次にデータをｅＮＢ１００に転送することができる。ここでもまた、これらのステップ４１０〜４１４は、図４中と同じである。
【００４６】
一実施形態において、ブロードキャスト・ベースのネットワーク・アクセスは、ネットワーク・サービスのサブセットのためにのみ適用される。例えば、従来のセルラー・アクセス・モードを介してある種のサービスにアクセスすべきか、ＢＮＡモードを介してアクセスすべきかを指示することのできる、セキュリティ、スループット、遅延などに関するプリセットされたルールが存在することがある。例えば、大きい遅延が許容されない場合には、ＢＮＡモードを選択することができる。別の実施例として、セキュリティ面が重要である場合には、従来のモードを選択することができる。ネットワーク・サービスが短いパケットのみまたは低い伝送速度のみの伝送を必要とする場合には、ＢＮＡモードを選択することができる。さらに、要求されるクォリティ・オブ・サービス（ＱｏＳ）は、どのモード、すなわちＢＮＡモードまたは従来のネットワーク・アクセス・モードのいずれを使用すべきかを選択する上で役割を果たすことのできる１つの基準となることがある。一実施形態において、ＢＮＡモードの使用は、使用される無線ベアラーに依存する。すなわち、ＵＥ１０４は、ある種の無線ベアラーについては、ＢＮＡモードを使用でき、一方、別の無線ベアラーについては従来のアクセスを使用することができる。
【００４７】
一実施形態において、ＢＮＡモード・サポートを伴うＡＰ１０２Ａ〜１０２Ｂは、見える状態（図４の場合）または隠された状態（図５の場合）のいずれかにある静的展開を有することができる。ＡＰ１０２Ａ〜１０２Ｂの展開タイプは、展開使用事例に基づくことができる。例えば、ハイウェイ展開の場合には、隠された状態のＡＰ１０２Ａ〜１０２Ｂの静的展開を適用することができる。このオプションでは、ハイウェイに沿って展開されＵＥ１０４から隠されて、ＢＮＡサポートされたＡＰ１０２Ａ〜１０２Ｂが存在することがある。これは、このときＵＥ１０４とネットワーク１１０の間の移動度管理シグナリングがＵＥ１０４とｅＮＢ１００の間のマクロ・セル層上でのみ必要とされていることから、有益であることができる。
【００４８】
隠された状態のＡＰ１０２Ａ、１０２Ｂは、ＵＥ伝送に基づいて、ＵＥ１０４の移動度をトラッキングできる。ｅＮＢ１００は、どのＡＰ１０４Ａまたは１０４ＢがデータをｅＮＢ１００に転送するかに基づいて、ＵＥ１０４の場所を知ることができる。このようにして、ＡＰ１０２Ａ、１０２Ｂは同様に、低シグナリング・オーバーヘッドでＵＥのデータ伝送に基づいたＵＥ１０４の移動度アップデートをハンドリングすることもできる。別の例示的ケースでは、ＢＮＡモード・サポートを用いて展開された見える状態のスモール・セルＡＰ１０２〜１０２Ｂを有するように、見える状態のＡＰ１０２Ａ、１０２Ｂの静的展開を、スタジアムまたは別のホット・スポット場所で使用することができる。一実施形態において、ＢＮＡモードは、低いデータ・レートおよび／または短いパケット伝送しか必要としないネットワーク・サービスのためだけに使用できる。このことは、少量のデータ伝送のためだけに接続を確立し維持するシグナリング・オーバーヘッドを削減するために有益であることがある。低いデータ・レートとは何かおよび短いパケットとは何かに関しては、所定の閾値が存在することがある。
【００４９】
しかしながら、別の実施形態においては、図６に示されているように、ステップ６０４において、ＡＰ１０２Ａの動的再構成を行うことができる。すなわち、ＡＰ１０２Ａ〜１０２Ｂ（またはそれらのサブセット）をオン・ザ・フライで再構成することができる。このような動的再構成を、自己組織ネットワーク（ＳＯＮ）フィーチャとみなすことができる。一実施形態において、ステップ６０４は、図４および５のステップ４００の中に含まれる。
【００５０】
再構成６０４は、ＡＰ１０２Ａが、参照番号６０６で示されているように、少なくとも１つのＵＥ１０４に対して見える状態にあるか、または参照番号６０８で示されているように、少なくとも１つのＵＥ１０４から隠された状態にあるかを定義することができる。ＡＰ１０２ＡがＵＥに対して見える状態にある場合、図４に関連する実施形態の少なくともいくつかが適用可能であり得る。しかしながら、ＡＰ１０２Ａが隠されている場合には、図５に関連する実施形態の少なくともいくつかが適用可能であり得る。再構成は、例えば、セル・ロード、セル１０１内のＵＥの分布、ＵＥの移動度状態（移動中／静止状態／移動速度など）、およびアクティブなサービスのタイプ（ＵＥ１０４がどのサービスを現在適用しているか）という基準のうちの１つに基づくことができる。セル・ロードが高い場合には、見える状態のＡＰ１０２Ａ〜１０２Ｂの方が、隠された状態のＡＰ１０２Ａ〜１０２Ｂに比べて、トラフィックをハンドリングする上でより効率が良いことがある。
【００５１】
例えば、隠されたＡＰ１０２Ａ〜１０２Ｂの展開を、最初にまたは低トラフィック期間（例えば夜間）中に構成することができる。セル・ロードが増大しつつあり、より多くのＵＥ１０４が存在する場合、見える状態のＵＥ１０４の展開は、ＡＰ１０２Ａ〜１０２ＢがＵＥ１０４にとって見える状態であるように、動的に再構成可能である。ＡＰ１０２Ａ〜１０２Ｂは見える状態にあることから、ＵＥ１０４は、ＢＮＡモードにしたがったネットワーク・アクセスのために、および／または、ＵＥが最初に見える状態のＡＰに接続するように、ＡＰ１０２Ａ〜１０２Ｂを使用することができる。この後者の場合は、低い移動度状態を有するＵＥからの連続的高データ・レート要件を有するネットワーク・サービスのために有利であることができる。
【００５２】
別の実施例としては、ハイウェイ・シナリオにおいて、見えない状態のＡＰ１０２Ａ〜１０２Ｂの展開を構成することができる。しかしながら、ローカル・ホット・スポット（例えばトラフィック・ジャムが存在する）が出現しＵＥの移動度が緩慢になっている場合、ハイウェイに沿ったＢＮＡ能力あるＡＰ１０２Ａ〜１０２Ｂの動的再構成は、ＡＰ１０２Ａ〜１０２Ｂが見える状態となるように変更されることがある。
【００５３】
一実施形態において、再構成は、ＡＰ１０２ＡがＢＮＡモードで作用すべきかまたは従来のネットワーク・アクセス・モードで作用すべきかを定義する。
【００５４】
一実施形態において、図６に参照番号６０２で示されているように、動的再構成６０４は、自己構成であり、ネットワーク条件に関してプリセットされたルールに基づく。すなわち、ＡＰ１０２Ａ自体が、プリセットされたルールを満たすネットワークのある条件（例えばローカル・ホット・スポットが出現する、データ・レートが増大した、ＵＥの移動度が低下するなど）を検出した場合、ＡＰ１０２Ａは、自己再構成を実行することができる。これらのプリセットされたルールまたは閾値は、ネットワーク１１０のオペレータおよびメンテナンス（ＯＡＭ）エンティティなどの、ネットワーク１１０により定義可能である。
【００５５】
別の実施形態において、図６に参照番号６００で示されているように、再構成６０４は、ネットワーク１１０から受信した再構成メッセージに基づく。ネットワーク１１０が、変更されたネットワーク条件を検出した場合、ｅＮＢ１００は、再構成メッセージを少なくとも１つのＡＰ１０２Ａ〜１０２Ｂに送信できる。
【００５６】
マクロ・セル基地局１００の観点から見ると、該提案は、図７に示されているような方法を含むことができる。ステップ７００において、ｅＮＢ１００は、ＢＮＡを適用するために、ＡＰ１０２Ａ〜１０２Ｂのうちの少なくとも１つとＵＥ１０４とをトリガーでき、ここでＵＥ１０４およびＡＰ１０２Ａ〜１０２Ｂは互いに従来の相互無線通信接続を確立していない。しかしながら、ＵＥ１０４およびｅＮＢ１００は、それらの間に確立された無線接続を有することができる。同様にして、ｅＮＢ１００およびＡＰ１０２Ａ〜１０２Ｂは、それらの間に確立された通信接続（有線または無線）を有していることがある。構成は、例えば少なくともあるタイプのネットワーク・サービスのためにＵＥ１０４がＢＮＡを適用するためのコマンドであることができる。
【００５７】
その後、ｅＮＢ１００は同様に、ＢＮＡモードにしたがって作用することもできる。すなわち、ステップ７０２において、ｅＮＢ１００は、少なくとも１つのＡＰ１０２Ａ〜１０２ＢからＵＬデータを受信することができ、受信されたＵＬデータは最初にＵＥ１０４によりブロードキャストされ、少なくとも１つのＡＰ１０２Ａ〜１０２Ｂにより検出され受信される。ステップ７０４では、ｅＮＢ１００は、少なくとも１つのＡＰ１０２Ａ〜１０２ＢがＵＥ１０４に向かうＤＬデータのブロードキャスト伝送を実行できるようにするため、ＤＬデータを少なくとも１つのＡＰ１０２Ａ〜１０２Ｂに伝送することができる。一実施形態において、ＵＥ１０４のためのデータ通信に参加するＡＰ１０２Ａは１つのみである。しかしながら、別の実施形態では、ＵＥ１０４のためのＵＬおよび／またはＤＬデータ通信に参加する複数のＡＰ１０２Ａ〜１０２Ｂが存在する。
【００５８】
次に、ＢＮＡモードのために使用されるリソース割当てに関係するいくつかの実施形態を見てみる。一実施形態において、ｅＮＢ１００は、少なくとも１つのＡＰ１０２Ａ〜１０２ＢとＵＥ１０４との間のブロードキャスト伝送のために使用すべきリソース・プールを割当てることができる。一実施形態において、これらのリソースは、ＢＮＡモードのための専用リソースであることができる。このことは、必要な場合につねにリソースの利用可能性を保証するために有益であり得る。しかしながら、別の実施形態において、割当てられたリソースは、他のいくつかの伝送技術と共用されることがある。例えば、割当てられたリソース・プールを、２つの端末デバイス間のＤ２Ｄ伝送と共用することができる。すなわち、ＢＮＡモードは、ｅＮＢ１００によって割当てられたＤ２ＤリソースをＵＥ１０４に対して適用することができる。
【００５９】
一実施形態において、図８Ａに示されているように、マクロ・セルｅＮＢ１００は、ＡＰ１０２ＡからＵＥ１０４へおよびＵＥ１０４からＡＰ１０２Ａへのブロードキャスト伝送のための共通のリソース・プールを構成することができる。このことは、受信と伝送を同じリソース上で行うことができることから、単純化のために有利であることがある。
【００６０】
一実施形態においては、近接した多数のＡＰ１０２Ａ〜１０２Ｂが同じリソース・プールを共有することができる。このことは、１つのＵＥ１０４からのブロードキャスト伝送を多数のＡＰ１０２Ａ〜１０２Ｂが受信し転送して、少なくともいくつかのダイバーシティと合成利得を提供できるという点で、有益であることができる。同様に、ＤＬ方向で、このオプションは、ダイバーシティ利得を提供できる。この実施形態は、図８Ｂに示されている。
【００６１】
しかしながら、別の実施形態では、割当てられたリソース・プールは、２つの方向で異なっている。これは、図９に示されており、ここでは、ＡＰ１０２ＡからＵＥ１０４へ、およびＵＥ１０４からＡＰ１０２Ａへのブロードキャスト伝送のために、異なるリソース・プールが割当てられている。こうして、通信の高い効率を提供できる。ｅＮＢ１００は、ＡＰ１０２ＡからＵＥ１０４へのブロードキャスト伝送のために、ＵＥ特異的リソース（例えば、３ＧＰＰリリース１２に規定されているような、Ｄ２Ｄ通信モード１リソース割当て）を構成することができる。一方、ＵＥ１０４からＡＰ１０２Ａへのブロードキャスト伝送のためには、非ＵＥ特異的リソース・プールを割当てることができ、ＵＥ１０４は、割当てられたリソース・プールから自立的にリソースを選択することができる（例えば、３ＧＰＰリリース１２で規定されているような、Ｄ２Ｄ通信モード２リソース割当て）。
【００６２】
リソース・プールをＵＥ１０４および／またはＡＰ１０２Ａ〜１０２Ｂに割当てた後、ｅＮＢ１００は、ＵＥ１０４および少なくとも１つのＡＰ１０２Ａ〜１０２Ｂのうちの少なくとも１つに対してリソース割当てメッセージを伝送でき、このリソース割当てメッセージは、リソース割当てメッセージの受信者に対し、割当てられた無線リソース・プールを標示する。
【００６３】
一実施形態において、ＢＮＡモード・リソース割当てが、少なくとも、多数のスモール・セルＡＰ１０２Ａ〜１０２Ｂが展開され同じマクロｅＮＢ１００の制御下にあるローカル・エリア内で共通である場合、スモール・セルＡＰ１０２Ａ〜１０２Ｂの代りにまたはそれらに加えて、マクロｅＮＢ１００を介してＵＥ１０４に対しＢＮＡセットアップ情報を提供することができる。
【００６４】
セットアップ情報は、例えばリソース・プール割当て、および／または、ＢＮＡモード選択ルール／ポリシーを含むことができる。
【００６５】
ＡＰ１０２Ａ〜１０２ＢがＵＥ１０４から隠されている展開の場合、ＢＮＡモード活動化に対する制御は、ネットワーク側１００にある。一実施形態において、ＢＮＡモード・リソース・プールは、従来のＤ２Ｄ通信と共に割当てられる。このような場合、Ｄ２Ｄ＿ＢＮＡモードは、ＵＥ１０４に対し完全に透明であることができる。
【００６６】
図１０〜１２は、制御回路（ＣＴＲＬ）１００２、１１０２、１２０２、例えば少なくとも１つのプロセッサ、およびコンピュータ・プログラム・コード（ＰＲＯＧ）を含む少なくとも１つのメモリ１００４、１１０４、１２０４を備えた装置１０００、１１００および１２００において、少なくとも１つのメモリおよびコンピュータ・プログラム・コード（ＰＲＯＧ）が少なくとも１つのプロセッサを用いて、それぞれの装置１０００、１１００、１２００に図１〜９の実施形態のいずれか１つまたはそれらの動作を実施させるように構成されている、装置を提供している。
【００６７】
一実施形態において、これらの動作は、例えばローカル・エリア・アクセス・ノードにより、ＵＥからのＵＬデータのブロードキャスト伝送を検出するステップであって、ＵＥとローカル・エリア・アクセス・ノードは互いに相互無線通信接続を確立していない、ステップ、ブロードキャスト伝送からのターゲット・ネットワーク要素の標示を検出するステップ、および／または、ターゲット・ネットワーク要素に対するブロードキャスト伝送の少なくとも一部分の専用伝送としての転送を制御するステップ、などのタスクを含むことができる。
【００６８】
一実施形態において、これらの動作は、例えば、ユーザー・デバイスと少なくとも１つのローカル・エリア・アクセス・ノードが互いに相互無線通信接続を確立することなく、ユーザー・デバイスと少なくとも１つのローカル・エリア・アクセス・ノードの間のブロードキャスト伝送を介してユーザー・デバイスがネットワークにアクセスするようにするブロードキャスト・ベースのネットワーク・アクセスを、ユーザー・デバイスによって活動化させるステップと、少なくとも１つのローカル・エリア・アクセス・ノードがブロードキャスト伝送を検出しネットワークに対してブロードキャスト伝送の少なくとも一部分を転送できるようにするために、アップリンク・データのブロードキャスト伝送を制御するステップであって、ブロードキャスト伝送がブロードキャスト伝送のターゲット・ネットワーク要素としてユーザー・デバイスが接続されている広域基地局の標示を含んでいる、ステップ、および／または、少なくとも１つのローカル・エリア・アクセス・ノードからのブロードキャストされたダウンリンク・データの受信を制御するステップであって、伝送を行う少なくとも１つのローカル・エリア・アクセス・ノードはネットワークからダウンリンク・データを既に受信している、ステップ、などのタスクを含むことができる。
【００６９】
一実施形態において、これらの動作は、例えばユーザー・デバイスとローカル・エリア・アクセス・ノードが互いに相互無線通信接続を確立することなく、ユーザー・デバイスとローカル・エリア・アクセス・ノードとの間のブロードキャスト伝送を介してユーザー・デバイスがネットワークにアクセスするようにするブロードキャスト・ベースのネットワーク・アクセスを適用するように、ローカル・エリア・アクセス・ノードおよびユーザー・デバイスのうちの少なくとも１つを、ネットワーク・ノードによって構成するステップ、ローカル・エリア・アクセス・ノードからのアップリンク・データの受信をさせるステップであって、アップリンク・データがユーザー端末によりブロードキャストされローカル・エリア・アクセス・ノードにより検出される、ステップ、および／または、ローカル・エリア・アクセス・ノードがユーザー・デバイスに対するダウンリンク・データのブロードキャスト伝送を実行できるようにする目的でローカル・エリア・アクセス・ノードに対するダウンリンク・データの伝送をさせるステップ、などのタスクを含むことができる。
【００７０】
メモリ１００４、１１０４、１２０４は、半導体ベースのメモリ・デバイス、フラッシュ・メモリ、磁気メモリ・デバイスおよびシステム、光学メモリ・デバイスおよびシステム、固定メモリおよび着脱式メモリなどの任意の好適なデータ記憶技術を用いて実装可能である。
【００７１】
装置１０００、１１００、１２００はさらに、１つ以上の通信プロトコルにしたがって通信接続性を実現するためのハードウェアおよび／またはソフトウェアを備えた通信インタフェース（ＴＲＸ）を含むことができる。ＴＲＸは、装置に、例えば無線アクセス・ネットワークにアクセスするための通信能力を提供することができる。
【００７２】
装置１０００、１１００、１２００は同様に、例えば、少なくとも１つのキーパッド、マイクロホン、タッチディスプレー、ディスプレー、スピーカーなどを含むユーザー・インタフェース１００８、１１０８、１２０８を備えることもできる。各ユーザー・インタフェースを、ユーザーによるそれぞれの装置の制御のために使用することができる。
【００７３】
一実施形態において、装置１０００は、スモール・セル基地局とも呼ばれるローカル・エリア・アクセス・ノード／ポイントであるかまたはその中に含まれることができる。一実施形態において、装置１０００は、例えばＡＰ１０２Ａであるかまたはその中に含まれることができる。
【００７４】
制御回路１００２は、ＢＮＡモードの適用を制御し、広告メッセージを伝送するため、および／または、例えばいずれかの実施形態に係るＢＮＡの使用に関するｅＮＢ１００との通信のために、ＢＮＡ制御回路１０１０を含むことができる。ＵＥ検出回路１０１２は、例えば近傍のＵＥ１０４の存在を検出するためのものであることができる。
【００７５】
一実施形態において、装置１０００は、基地局内に位置設定された遠隔無線ヘッド（ＲＲＨ）に対して作動的に（例えば無線または有線ネットワークを介して）結合される遠隔制御ユニット内に含まれる。一実施形態において、記載されたプロセスの少なくともいくつかは、遠隔制御ユニットにより実施可能である。一実施形態において、プロセスの実行は、遠隔制御ユニット内に位置する装置１０００およびＲＲＨの間で分担可能である。
【００７６】
一実施形態において、装置１１００は、セルラー通信システムの端末デバイス、例えばユーザー機器（ＵＥ）、ユーザー端末（ＵＴ）、コンピュータ（ＰＣ）、ラップトップ型コンピュータ、タブロイド・コンピュータ、セルラーフォン、モバイル・フォン、コミュニケータ、スマート・フォン、パーム・コンピュータ、または他の任意の通信装置を含むことができる。さらに、装置１１００は、例えばプラグイン・ユニット、「ＵＳＢドングル」、または他の任意の種類のユニットなどの接続性を提供する（装置に取付けるべき）モジュールであるかまたはこのモジュールを含むことができる。ユニットは、装置の内部に設置されるかまたはコネクタを用いてか、または無線の形ででも装置に取付けることができる。一実施形態において、装置１１００は、ＵＥ１０４などのモバイル・フォンであるか、それを含むか、または、その中に含まれることができる。
【００７７】
制御回路１１０２は、ＢＮＡモードの適用を制御するため、ＢＮＡモードの使用を開始するため、および、例えば、いずれかの実施形態に係るＢＮＡの使用に関するｅＮＢ１００との通信のために、ＢＮＡ制御回路１１１０を含むことができる。ＡＰ検出回路１１１２は、例えば、近傍のＡＰ１０２Ａ〜１０２Ｂの存在を検出するためのものであることができる。
【００７８】
一実施形態において、装置１２００は、（例えば送受信者基地局、ノードＢ、無線ネットワーク・コントローラ、または進化型ノードＢとも呼ばれる）基地局であるか、または基地局内に含まれることができる。一実施形態において、装置１２００は、ｅＮＢ１００であるかまたはｅＮＢ１００内に含まれている。
【００７９】
制御回路１２０２は、ＢＮＡモードの適用を制御するため、ＢＮＡモードの使用を開始するため、および、例えば、いずれかの実施形態に係るＢＮＡの使用に関するＵＥ１０４およびＡＰ１０２Ａ〜１０２Ｂとの通信のために、ＢＮＡ制御回路１２１０を含むことができる。リソース割当て回路１２１２は、例えば、ＢＮＡのためのリソースを割当てるためのものであることができる。
【００８０】
一実施形態において、装置１２００は、基地局内に位置設定された遠隔無線ヘッド（ＲＲＨ）に対して作動的に（例えば無線または有線ネットワークを介して）結合される遠隔制御ユニット内に含まれる。一実施形態において、記載されたプロセスの少なくともいくつかは、遠隔制御ユニットにより実施可能である。一実施形態において、プロセスの実行は、遠隔制御ユニット内に位置する装置１２００およびＲＲＨの間で分担可能である。
【００８１】
一実施形態において、装置１０００〜２０００は、ロング・ターム・エボリューションにしたがって、またはロング・ターム・エボリューション・アドバンストにしたがって動作している。
【００８２】
一実施形態において、装置１０００〜１２００の機能性の少なくともいくつかは、１つの動作エンティティを形成する２つの物理的に別個のデバイスの間で共用されることがある。したがって、記載されているプロセスの少なくともいくつかを実行するための１つ以上の物理的に別個のデバイスを含む動作エンティティを描写するものとして装置１０００〜１２００の各々を見ることができる。このような共用アーキテクチャを利用する装置１０００〜１２００は、基地局１００内またはＡＰ１０２Ａ〜１０２Ｂ内に位置設定された遠隔無線ヘッド（ＲＲＨ）に（例えば無線または有線ネットワークを介して）作動的に結合されたホスト・コンピュータまたはサーバー・コンピュータなどの遠隔制御ユニット（ＲＣＵ）を含むことができる。一実施形態においては、記載されているプロセスの少なくともいくつかをＲＣＵによって実施することができる。一実施形態においては、記載されているプロセスの少なくともいくつかの実行を、ＲＲＨとＲＣＵの間で分担することができる。
【００８３】
一実施形態において、ＲＣＵは、ＲＣＵがＲＲＨと通信するのに経由する仮想ネットワークを生成することができる。概して、仮想ネットワーキングには、ハードウェアおよびソフトウェア・ネットワーク・リソースおよびネットワーク機能性を、仮想ネットワークである単一のソフトウェア・ベースの管理エンティティの形に組合わせるプロセスが関与することができる。ネットワーク仮想化には、多くの場合リソース仮想化と組合わされるプラットフォーム仮想化が関与できる。ネットワーク仮想化は、多くのネットワークまたはネットワークの各部をサーバー・コンピュータまたはホスト・コンピュータ（すなわちＲＣＵ）に組合わせる外部仮想ネットワーキングとして分類可能である。外部ネットワーク仮想化は、最適化されたネットワーク共有利用にターゲティングされる。別のカテゴリーは、単一システム上のソフトウェア・コンテナに対してネットワーク様の機能性を提供する内部仮想ネットワーキングである。仮想ネットワーキングは同様に、端末デバイスをテストするためにも使用できる。
【００８４】
一実施形態において、仮想ネットワークは、ＲＲＨとＲＣＵの間の動作の融通性ある分布を提供することができる。実際には、ＲＲＨまたはＲＣＵのいずれかにおいて、任意のデジタル信号処理タスクを実施することができ、ＲＲＨとＲＣＵの間で責任がシフトされる境界は、実装に応じて選択可能である。
【００８５】
本出願で使用される「回路」なる用語は、以下の全てのものを意味する。すなわち（ａ）アナログおよび／またはデジタル回路のみにおける実装などのハードウェア専用回路実装、および（ｂ）（ｉ）プロセッサの組合せまたは（ｉｉ）共働して装置にさまざまな機能を実行させるデジタル・信号プロセッサ、ソフトウェアおよびメモリを含むプロセッサ／ソフトウェアの部分、および（ｃ）ソフトウェアまたはファームウェアが物理的に存在しない場合でも動作のためにソフトウェアまたはファームウェアを必要とするマイクロプロセッサまたはマイクロプロセッサの一部分などの回路。この「回路」の定義は、本出願中のこの用語の全ての使用にあてはまる。さらなる一例として、本出願中に使用されているように、「回路」なる用語は、同様に、１つのみのプロセッサ（または多数のプロセッサ）の実装、または１つのプロセッサとその（またはそれらの）付随するソフトウェアおよび／またはファームウェアの一部分の実装をもカバーすると考えられる。「回路」なる用語は同様に、例えば、そして特定の要素に適用可能である場合に、ベースバンド集積回路またはモバイル・フォン用のアプリケーションプロセッサ集積回路または、サーバー、セルラー・ネットワーク・デバイスまたは別のネットワーク・デバイス内の類似の集積回路をカバーするとも考えられる。
【００８６】
一実施形態において、図１〜９に関連して記載されたプロセスの少なくともいくつかは、記載されたプロセスの少なくともいくつかを実施するための対応する手段を含む装置によって実施可能である。プロセスを実施するためのいくつかの例示的手段には、以下のものの少なくとも１つが含まれることがある：検出器、プロセッサ（デュアル・コアおよびマルチ・コア・プロセッサを含む）、デジタル信号プロセッサ、コントローラ、受信者、送信機、エンコーダ、デコーダ、メモリ、ＲＡＭ、ＲＯＭ、ソフトウェア、ファームウェア、ディスプレー、ユーザー・インタフェース、ディスプレー回路、ユーザー・インタフェース回路、ユーザー・インタフェース・ソフトウェア、ディスプレー・ソフトウェア、回路、アンテナ、アンテナ回路および回路。一実施形態において、少なくとも１つのプロセッサ、メモリおよびコンピュータ・プログラム・コードは、処理手段を形成するかまたは、図１〜９の実施形態またはその動作のいずれか１つにしたがった１つ以上の動作を実施するための１つ以上のコンピュータ・プログラム・コード部分を含む。一実施形態において、これらの動作は、例えば、ローカル・エリア・アクセス・ノードにより、ＵＥからのＵＬデータのブロードキャスト伝送を検出するステップであって、ＵＥおよびローカル・エリア・アクセス・ノードは互いに相互無線通信接続を確立していない、ステップ、ブロードキャスト伝送からのターゲット・ネットワーク要素の標示を検出するステップ、および／または、ターゲット・ネットワーク要素に対するブロードキャスト伝送の少なくとも一部分の専用伝送としての転送を制御するステップ、などのタスクを含むことができる。一実施形態において、これらの動作は、例えば、ユーザー・デバイスと少なくとも１つのローカル・エリア・アクセス・ノードが互いに相互無線通信接続を確立することなく、ユーザー・デバイスと少なくとも１つのローカル・エリア・アクセス・ノードの間のブロードキャスト伝送を介してユーザー・デバイスがネットワークにアクセスするようにするブロードキャスト・ベースのネットワーク・アクセスを、ユーザー・デバイスによって活動化させるステップ、少なくとも１つのローカル・エリア・アクセス・ノードがブロードキャスト伝送を検出しネットワークに対してブロードキャスト伝送の少なくとも一部分を転送できるようにするために、アップリンク・データのブロードキャスト伝送を制御するステップであって、ブロードキャスト伝送が、ブロードキャスト伝送のターゲット・ネットワーク要素としてユーザー・デバイスが接続されている広域基地局の標示を含んでいる、ステップ、および／または、少なくとも１つのローカル・エリア・アクセス・ノードからブロードキャストされたダウンリンク・データの受信を制御するステップであって、伝送を行う少なくとも１つのローカル・エリア・アクセス・ノードは、ネットワークからダウンリンク・データを既に受信している、ステップ、などのタスクを含むことができる。一実施形態において、これらの動作は、例えば、ユーザー・デバイスとローカル・エリア・アクセス・ノードが互いに相互無線通信接続を確立することなく、ユーザー・デバイスとローカル・エリア・アクセス・ノードとの間のブロードキャスト伝送を介してユーザー・デバイスがネットワークにアクセスするようにするブロードキャスト・ベースのネットワーク・アクセスを適用するように、ローカル・エリア・アクセス・ノードおよびユーザー・デバイスのうちの少なくとも１つを、ネットワーク・ノードによって構成するステップ、ローカル・エリア・アクセス・ノードからのアップリンク・データの受信をさせるステップであって、アップリンク・データがユーザー端末によりブロードキャストされローカル・エリア・アクセス・ノードにより検出される、ステップ、および／または、ローカル・エリア・アクセス・ノードがユーザー・デバイスに対するダウンリンク・データのブロードキャスト伝送を実行できるようにする目的で、ローカル・エリア・アクセス・ノードに対するダウンリンク・データの伝送をさせるステップなどのタスクを含むことができる。
【００８７】
さらに別の実施形態によると、実施形態を実施する装置は、少なくとも１つのプロセッサおよびコンピュータ・プログラム・コードを含む少なくとも１つのメモリを含む回路を備えている。活動化された時点で、回路は、装置に、図１〜９の実施形態のいずれか１つに係る機能性、またはその動作の少なくともいくつかを実行させる。一実施形態において、これらの動作は、例えば、ローカル・エリア・アクセス・ノードにより、ＵＥからのＵＬデータのブロードキャスト伝送を検出するステップであって、ＵＥおよびローカル・エリア・アクセス・ノードは互いに相互無線通信接続を確立していない、ステップ、ブロードキャスト伝送からのターゲット・ネットワーク要素の標示を検出するステップ、および／または、専用伝送としてのターゲット・ネットワーク要素に対するブロードキャスト伝送の少なくとも一部分の転送を制御するステップ、などのタスクを含むことができる。一実施形態において、これらの動作は、例えば、ユーザー・デバイスと少なくとも１つのローカル・エリア・アクセス・ノードが互いに相互無線通信接続を確立することなく、ユーザー・デバイスと少なくとも１つのローカル・エリア・アクセス・ノードの間のブロードキャスト伝送を介してユーザー・デバイスがネットワークにアクセスするようにするブロードキャスト・ベースのネットワーク・アクセスを、ユーザー・デバイスによって活動化させるステップ、少なくとも１つのローカル・エリア・アクセス・ノードがブロードキャスト伝送を検出しネットワークに対してブロードキャスト伝送の少なくとも一部分を転送できるようにするために、アップリンク・データのブロードキャスト伝送を制御するステップであって、ブロードキャスト伝送が、ブロードキャスト伝送のターゲット・ネットワーク要素としてユーザー・デバイスが接続されている広域基地局の標示を含んでいる、ステップ、および／または、少なくとも１つのローカル・エリア・アクセス・ノードからブロードキャストされたダウンリンク・データの受信を制御するステップであって、伝送を行う少なくとも１つのローカル・エリア・アクセス・ノードがネットワークからダウンリンク・データを既に受信している、ステップ、などのタスクを含むことができる。一実施形態において、これらの動作は、例えば、ユーザー・デバイスとローカル・エリア・アクセス・ノードが互いに相互無線通信接続を確立することなく、ユーザー・デバイスとローカル・エリア・アクセス・ノードとの間のブロードキャスト伝送を介してユーザー・デバイスがネットワークにアクセスするようにするブロードキャスト・ベースのネットワーク・アクセスを適用するように、ローカル・エリア・アクセス・ノードおよびユーザー・デバイスのうちの少なくとも１つを、ネットワーク・ノードによって構成するステップ、ローカル・エリア・アクセス・ノードからのアップリンク・データの受信をさせるステップであって、アップリンク・データがユーザー端末によりブロードキャストされローカル・エリア・アクセス・ノードにより検出される、ステップ、および／または、ローカル・エリア・アクセス・ノードがユーザー・デバイスに対するダウンリンク・データのブロードキャスト伝送を実行できるようにする目的で、ローカル・エリア・アクセス・ノードに対するダウンリンク・データの伝送をさせるステップなどのタスクを含むことができる。
【００８８】
本明細書中に記載されている技術および方法は、さまざまな手段により実装可能である。例えば、これらの技術は、ハードウェア（１つ以上のデバイス）、ファームウェア（１つ以上のデバイス）、ソフトウェア（１つ以上のモジュール）、またはそれらの組合せで実装可能である。ハードウェア実装のためには、実施形態の装置は、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロプロセッサ、本明細書中に記載の機能を実施するように設計された他の電子ユニット、またはそれらの組合せの内部に実装可能である。ファームウェアまたはソフトウェアについては、本明細書中に記載の機能を実行する少なくとも１つのチップ・セット（例えばプロシージャ、機能など）のモジュールを通して実装を実施することができる。ソフトウェアコードまたはコード部分は、メモリ内に記憶され、プロセッサにより実行されることができる。メモリ・ユニットは、プロセッサの内部またはプロセッサの外部に、実装可能である。後者の場合、当該技術分野において知られているように、このメモリ・ユニットをプロセッサに対し通信結合することができる。さらに、本明細書中に記載のシステムのコンポーネントを再配置および／または追加のコンポーネントで補足して、それに関して記載されているさまざまな態様などの達成を容易にすることができ、これらのコンポーネントは、当業者であれば認識するように、与えられた図の中で記載されている厳密な構成に限定されない。
【００８９】
記載されている実施形態は同様に、コンピュータ・プログラムまたはその一部分によって定義されるコンピュータ・プロセスの形でも実施可能である。図１〜９に関連して記載された方法の実施形態は、対応する命令を含むコンピュータ・プログラムの少なくとも１部分を実行することによって実施できる。コンピュータ・プログラムは、ソース・コード形態、オブジェクト・コード形態またはいくつかの中間形態をとることができ、プログラムを搬送する能力を有する任意のエンティティまたはデバイスであり得るいくつかの種類のキャリア内にこれを記憶することができる。例えば、コンピュータ・プログラムは、コンピュータまたはプロセッサにより可読であるコンピュータ・プログラム配布媒体上に記憶可能である。コンピュータ・プログラム媒体は、例えば、記録媒体、コンピュータ・メモリ、読取り専用メモリ、電気キャリア信号、電気通信信号、およびソフトウェア配布パッケージなどであることができるが、これらに限定されない。コンピュータ・プログラム媒体は、非一時的媒体であることができる。図示され説明された実施形態を実施するためのソフトウェアのコーディングは、当業者の技術的範囲内に充分入るものである。
【００９０】
本発明について、添付図面にしたがった一例を基準にして以上で説明してきたが、本発明はそれに限定されず、添付のクレームの範囲内で複数の方法で修正可能であることは明らかである。したがって、全ての用語および表現は、広義に解釈されなければならず、それらは実施形態を限定するのではなく例示するように意図されている。当業者にとっては、技術の進歩につれて、本発明の概念をさまざまな形で実装できることは明白である。さらに、当業者には、記載の実施形態をさまざまな形で他の実施形態と組み合わせることができることは明らかであり、しかし、それが必ずしも要求されるものではないことも明らかである。
【図１】
0006420468.tif 000002
【図２】
0006420468.tif 000003
【図３】
0006420468.tif 000004
【図４】
0006420468.tif 000005
【図５】
0006420468.tif 000006
【図６】
0006420468.tif 000007
【図７】
0006420468.tif 000008
【図８Ａ】
0006420468.tif 000009
【図８Ｂ】
0006420468.tif 000010
【図９】
0006420468.tif 000011
【図１０】
0006420468.tif 000012
【図１１】
0006420468.tif 000013
【図１２】
0006420468.tif 000014